(57)【特許請求の範囲】
【請求項１】
画像形成装置に開閉自在に設けられた用紙載置部に用紙が載置されたことを検出するための用紙検出機構であって、
前記画像形成装置本体に設けられた光電変換素子からなる用紙検出センサと、
前記用紙載置部に設けられ、開状態の前記用紙載置部に載置された用紙に当接して変位する作動部と、前記作動部の変位とともに変位して前記用紙検出センサへの光を遮断し、あるいは通過させる検出部とを有する用紙検出部材とを備え、
前記用紙載置部は中空に形成されるとともに採光用開口を有し、
前記用紙検出部材の検出部は、前記用紙載置部の中空部に配置されて、前記採光用開口から前記用紙検出センサに到達する光を遮断しあるいは通過させ、
前記用紙検出部材の作動部は、少なくとも前記用紙載置部に載置される用紙からの押圧力に対しては、予測される用紙の最大押圧力以下で剛性を維持し、外部からの押圧力に基づいて予測されるよりも大きな負荷が加わった場合その負荷の方向に弾性変形する材料で構成されている、
画像形成装置の用紙検出機構。
【請求項２】
前記用紙検出部材の作動部は、合成ゴムまたはスポンジで構成されている、請求項１に記載の画像形成装置の用紙検出機構。
【請求項３】
前記用紙検出部材の作動部は、用紙１枚分の重量で生じる押圧力により変位可能である、請求項１又は２に記載の画像形成装置の用紙検出機構。
【発明の詳細な説明】
【０００１】
【発明の属する技術分野】
本発明は、用紙検出機構、特に、画像形成装置に開閉自在に設けられた用紙載置部に用紙が載置されたことを検出するための画像形成装置の用紙検出機構に関する。
【０００２】
【従来の技術】
複写機、プリンタ、ファクシミリ装置などの画像形成装置は、オフィスの省スペース化を図るために、小型化することが望まれている。例えば、複写機では、用紙が収納された給紙カセットが使用する用紙のサイズに応じて複数用意され、各給紙カセットが装置に対して着脱自在となっている。また、複写機上面には、原稿が載置される原稿台が設けられている。この原稿台に載置された用紙に光を照射し、原稿から反射してくる光をＣＣＤセンサなどで電気的信号に変換して、ＣＣＤセンサの信号に基づいて感光体ドラムの表面に静電潜像を形成し、この静電潜像を現像装置によってトナー画像に顕像化している。このあと、表面にトナー画像が形成された用紙を定着装置に搬送し、トナー画像を加熱して溶融定着している。
【０００３】
画像形成部に搬送される用紙は、画像形成装置に着脱自在に設けられた給紙カセットに収納されている。この給紙カセットから引き出された用紙は、給紙搬送路を介して画像形成部に搬送され、画像形成部で表面にトナー画像が転写された用紙は、排紙搬送路を介して定着装置まで搬送され、排紙トレイに排出される。
【０００４】
また、厚紙やＯＨＰシート、表面コート紙などの特殊紙、いわゆるマテリアル紙に対して画像形成を行う場合には、急激な方向転換をしないような用紙搬送路を設定する必要がある。このため、マテリアル紙を収納可能なバイパストレイを設け、このバイパストレイから画像形成部まで搬送される用紙が比較的緩やかに方向転換するようにバイパス搬送路を構成したものがある。
【０００５】
【発明が解決しようとする課題】
上述したような画像形成装置において、給紙カセットやバイパストレイには、用紙の有無を検出するためのエンプティ検出スイッチや用紙サイズを検出するための用紙後端検出スイッチが設けられている。このようなエンプティ検出スイッチや用紙後端検出スイッチは、給紙カセットやバイパストレイの用紙載置面に一端が突出する作動部を有し、この作動部が用紙１枚分の重量で変位可能になっている。この作動部の他端は給紙カセットやバイパストレイの内部に埋設されており、他端の変位を光学的、磁気的あるいは機械的に検出することによって、用紙の有無あるいは用紙サイズを検出するように構成されている。
【０００６】
このような検出スイッチは、給紙カセット内部の底面、バイパストレイの用紙載置面に作動部の一端が突出状態となっているため、装置の搬送時、メンテナンス作業時などにこの作動部に衣服や部品などをひっかけて、作動部を損傷するおそれがある。特に、バイパストレイの用紙後端検出スイッチは装置の側方に突出するトレイ上に設けられるため、バイパストレイ上に用紙を載置する通常作業においてもこのような損傷のおそれがある。
【０００７】
ここで用いられる検出スイッチは、載置される用紙の重量によって作動部の一端が押圧されたとき、作動部の他端が変位するように、少なくとも用紙からの押圧力が働く方向に剛性を維持している必要がある。また、用紙１枚でも載置されていればこれを検出する必要があるため、用紙からの押圧力が働く方向に作動部の慣性力を小さくしておかねばならず、作動部を軽量化する必要がある。したがって、ＡＢＳやＰＯＭなどの硬質合成樹脂を小径の棒状に形成し、これを回転自在に支持することによって、作動部を構成している場合が通常である。
【０００８】
このように、硬質合成樹脂で構成されている作動部は、用紙からの所定方向への押圧力に対しては剛性を維持するものの、前述したように衣服や部品がひっかかるなどして予想以上の大きな負荷がかかると、破壊されてしまうおそれが大きい。
【０００９】
本発明は、画像形成装置の用紙検出機構であって、用紙検出部材に異常な負荷がかかった場合に破壊されることを防止することを目的とする。
【００１０】
【課題を解決するための手段】
本発明に係る画像形成装置の用紙検出機構は、画像形成装置に開閉自在に設けられた用紙載置部に用紙が載置されたことを検出するための機構であって、用紙検出センサと、用紙検出部材とを備えている。用紙検出センサは画像形成装置本体に設けられた光電変換素子からなるセンサである。用紙検出部材は、用紙載置部に設けられ開状態の用紙載置部に載置された用紙に当接して変位する作動部と、作動部の変位とともに変位して用紙検出センサへの光を遮断しあるいは通過させる検出部とを有している。そして、用紙載置部は中空に形成されるとともに採光用開口を有し、用紙検出部材の検出部は、用紙載置部の中空部に配置されて、採光用開口から用紙検出センサに到達する光を遮断しあるいは通過させる。また、用紙検出部材の作動部は、少なくとも用紙載置部に載置される用紙からの押圧力に対しては、予測される用紙の最大押圧力以下で剛性を維持し、外部からの押圧力に基づいて予測されるよりも大きな負荷が加わった場合その負荷の方向に弾性変形する材料で構成されている。
【００１１】
このことにより、作動部に用紙からの通常の押圧力がかかった場合には、作動部の変位が検出部によって検出され、用紙の検出を確実に行うことができる。また、如何なる方向からであっても予測されるよりも大きな負荷が加わった場合には、作動部が弾性変形することによって破壊されることを回避できる。
【００１２】
ここで、作動部を合成ゴムまたはスポンジで構成することができる。また、作動部が用紙１枚分の重量で生じる押圧力により変位可能なものとすることができる。
【００１３】
【発明の実施の形態】
図１に本発明の一実施形態が採用される複写機の縦断面図を示す。この複写機１は、本体１０と、本体１０の上部に開閉自在に装着された原稿押さえ１１とを有している。
【００１４】
本体１０には、その上部に位置して、原稿が載置される原稿台１５が配置されている。本体１０の内部には、正面から見て左側の端部で上下方向のほぼ中央に画像形成部１６が設けられている。また、下部には、画像形成部１６に原稿を供給するための給紙部１７が設けられている。
【００１５】
給紙部１７には、本体１０に着脱自在に取り付けられ、用紙を収納する給紙カセット１８，１９と、その上方に設けられるスタックバイパス２０とを備えている。
【００１６】
原稿台１５の下方には、原稿台１５上に載置された原稿の画像情報を読み取るための光学系２１が設けられている。光学系２１は、原稿台１５上に載置された原稿表面に光を照射するための光源２２と、原稿表面から反射した光を偏向するためのミラー２３，２４，２５と、ミラー２５からの光を収束させるためのレンズ２６と、レンズ２６によって収束された光を受光して原稿画像に対応する画像データ信号を生成するＣＣＤセンサなどの撮像素子２７とを備えている。
【００１７】
画像形成部１６は、表面に静電潜像が形成される感光体ドラム３０を有し、さらに感光体ドラム３０の周囲に配置された主帯電装置３１、現像装置３２、転写ローラ３３およびクリーニング装置３４を有している。
【００１８】
主帯電装置３１は、感光体ドラム３０の表面を帯電させるための装置であり、感光体ドラム３０の右斜め上方に配置されている。主帯電装置３１から所定の間隙をあけて感光体ドラム３０の右斜め下方に感光体ドラム３０上にトナー像を形成する現像装置３２が配置されている。現像装置３２は、内部にトナーを収納し、感光体ドラム３０に形成されている静電潜像をトナーによって顕像化するものである。また、転写ローラ３３は、感光体ドラム３０上のトナー像を用紙に転写するための装置であり、感光体ドラム３０の左側方に配置されている。クリーニング装置３４は、感光体ドラム３０表面の残留トナーなどを除去するための装置であり、感光体ドラム３０の上方に配置されている。
【００１９】
感光体ドラム３０の右側方には、感光体ドラム３０の周面に静電潜像を形成するためのレーザユニット３５が設けられている。レーザユニット３５は、撮像素子２７から得られる画像データ信号に基づいて感光体ドラム３０周面に静電潜像を形成する。
【００２０】
給紙部１７には、各給紙カセット１８，１９から画像形成部１６方向に用紙を搬送するための縦搬送路４１と、スタックバイパス２０から画像形成部１６方向に用紙を搬送するバイパス搬送路４２とが設けられている。各給紙カセット１８，１９およびスタックバイパス２０には、収納されている用紙を取り出すためのピックアップローラ４３，４４，４５および用紙を１枚ずつ搬送路に送り出すための給紙ローラ対４６，４７，４８が設けられている。縦搬送路４１には、搬送ローラ対４９，５０が設けられており、バイパス搬送路４２には搬送ローラ対５１が設けられている。縦搬送路４１とバイパス搬送路４２は、感光体ドラム３０と転写ローラ３３とが対向する転写位置の下方で合流している。この合流した個所には、搬送されてくる用紙を所定位置に待機させるためのレジストローラ５２が設けられている。
【００２１】
感光体ドラム３０および転写ローラ３３の上方には、用紙上に転写されたトナーを溶融定着するための定着装置５３が設けられている。定着装置５３は、ヒータを内蔵する加熱ローラ５４と加熱ローラ５４に圧接する加圧ローラ５５とが設けられており、両ローラ間に用紙を挟持して搬送するとともに、用紙表面に形成されたトナー画像を加熱定着するものである。
【００２２】
定着装置５３のさらに上方には、分岐部５６が設けられている。分岐部５６の右側方には、排出ローラ対６０を介して用紙が排出される排出トレイ５７と、排出トレイ５７の上方に配置され、排出ローラ対６１を介して用紙が排出されるサブ排出トレイ５８とが配置されている。また、分岐部５６の左下方には両面コピーの際に用紙を反転させるためのスイッチバック部５９が配置されている。分岐部５６には、用紙搬送方向を排出トレイ５７方向とスイッチバック部５９方向とに切り換えるための分岐爪６２が設けられている。分岐爪６２の左側方には、２つの分岐爪６３，６４が設けられている。この２つの分岐爪６３，６４の下方にはスイッチバック部５９に用紙を案内するスイッチバック搬送路６５が設けられ、上方にはサブ排出トレイ５８へ用紙を案内するサブトレイ搬送路６６が設けられ、また、２つの分岐爪６３，６４の中間には図示しないソータやステープルソータなどのフィニッシャに用紙を搬送するフィニッシャ搬送路６７が設けられている。分岐爪６３，６４は、搬送されてくる用紙をスイッチバック搬送路６５、サブトレイ搬送路６６またはフィニッシャ搬送路６７のいずれかに案内するように切り換え可能となっている。
【００２３】
〔スタックバイパス〕
スタックバイパス２０の詳細を図２、図３に基づいて説明する。このスタックバイパス２０は、基体８１と基体８１に回動可能に支持される蓋部材８２とを有している。基体８１は、上面に用紙が載置される載置板８６を備えたトレイ形状であり、載置板８６の左端部上方に位置して用紙を引き出すためのピックアップローラ４５と、用紙を１枚ずつ搬送路に送り出すための給紙ローラ対４８とが設けられている。給紙ローラ対４８の左側方には用紙をバイパス搬送路４２側に案内する案内面８７が設けられている。また、基体８１の両側部（本体１０の前後方向）には、被案内レール８４と案内ローラ８５とを備える被案内部８３，８３を有している。これに対応して、本体１０内部には、被案内レール８４の下面を案内するための案内ローラ７３を有する案内レール７２が設けられている。基体８１は、この案内レール７２に案内されて、本体１０の右側方に設けられた開口７１から引き出すことが可能となっている。
【００２４】
載置板８６には、案内溝８８が設けられており、この案内溝８８に係合して用紙の左右方向の位置合わせを行う仕切板８９，８９が取り付けられている。また、載置板８６は支軸９０を介して基体８１に対して回動可能となっており、収納される用紙の先端位置を上方に押し上げる方向に付勢されている。この例では、載置板８６の左端部下面にバネ９１が設けられており、載置板８６の左端部を上方に付勢している。
【００２５】
また、載置板８６の上面にはカム部材９２が当接している。このカム部材９２は、ピックアップローラ４５の回転軸の両端部に取り付けられており、用紙搬送方向下流側の端部において載置板８６上面に当接している。このカム部材９２は、非駆動時には図に示すようにバネ９１の付勢力に抗して載置板８６の上面をピックアップローラ４５から離間させる。また、カム部材９２は回転に伴ってカム面が上昇する。これに伴って、載置板８６はバネ９１の付勢力によりその上面がピックアップローラ４５に近接あるいは圧接する位置まで移動するように構成されている。
【００２６】
蓋部材８２は、基体８１の右端部において回動自在に支持されており、基体８１が本体１０内の所定位置に収納されるとき、開口７１を閉止可能となっている。
【００２７】
このスタックバイパス２０に収納される用紙は、急激な方向転換することなく、バイパス搬送路４２を介して画像形成部１６に搬送される。したがって、このスタックバイパス２０は、厚紙やＯＨＰシート、表面コート紙などのいわゆるマテリアル紙を画像形成部１６に給紙するのに適している。
【００２８】
また、このスタックバイパス２０は、載置板８６上にＡ４横サイズの用紙を収納して、蓋部材８２が閉止可能となっている。通常使用する用紙サイズとしてはＡ４サイズが多いと考えられるため、このような用紙を載置板８６上に載置して蓋部材８２を閉止すれば、いわゆるバイパストレイに用紙をセットした状態で、本体１０の側方に突出する部分がなくなる。さらにこのスタックバイパス２０は、給紙カセット１８，１９、排紙トレイ５７、サブトレイ５８、原稿台１５と平面視重合する位置に配置されているため、設置面積を極力小さくすることが可能となる。
【００２９】
さらに、このスタックバイパス２０は、本体１０の右側方に設けられた開口７１から引き出し可能にとなっているため、載置板８６上に用紙をセットする作業が容易となり、はがきなどの小型サイズの用紙であってもセッティングが容易となる。スタックバイパス２０を本体１０の側方に引き出す際には、ピックアップローラ４５、給紙ローラ対４８、載置板８６を上下動させる機構などが一体的に引き出されるため、給紙に関わる各機構の位置決め精度を損なうことがない。
【００３０】
〔用紙検知手段〕
蓋部材８２は、図４に示すように、支軸１０１によって本体１０に対して回動自在に支持されている。この蓋部材８２は、２点鎖線で示すように本体１０に対して閉止することが可能となっており、実線で示すように開放状態とした場合には、載置板８６の延長上に位置するように係止可能となっている。
【００３１】
蓋部材８２は、開放状態となったとき載置板８６と連続して用紙を載置可能な第２載置板１０２を有している。また、蓋部材８２は、閉止状態となったとき本体１０の側壁と一体的に装置本体の側壁を構成する外側板１０３、閉止状態となったときの上部に位置する上側板１０４、下部に位置する下側板１０５および前後に位置する前後側板（図示せず）を有している。また、蓋部材８２の内部には、紙面に垂直な方向に設けられ、中央に検出用開口１０７を有する仕切板１０６が設けられている。このことにより、蓋部材８２は、第２載置板１０２、外側板１０３、上側板１０４、下側板１０５および前後側板によって囲まれた内部中空を有しており、仕切板１０６によってこの内部中空が仕切られて、第１中空部１０８と第２中空部１０９を構成している。
【００３２】
第２載置面１０２のほぼ中央であって、第１中空部１０８に位置する部分に作動用開口１１０が穿設されている。この作動用開口１１０には、用紙検知部材１１１が設けられている。この用紙検知部材１１１は、一端側が作動用開口１１０から出没可能に配置された作動部１１２であり、多端側が仕切板１０６の検出用開口１０７を遮蔽・開放可能な検出部１１３を構成しており、支軸１１４を介して蓋部材８２に対して回動可能に取り付けられている。
【００３３】
上側板１０４には、第１中空部１０８に光を取り入れるための採光用開口１１５が穿設されている。この採光用開口１１５から第１中空部１０８に取り入れられた光は、用紙検出部材１１１の検出部１１３が検出用開口１０７を開放しているときには、検出用開口１０７を介して第２中空部１０９に流入することとなる。下側板１０５には、第２中空部１０９に流入した光を本体１０側に通過させる検出用開口１１６が穿設されている。
【００３４】
本体１０側には、検出用開口１１６に対応する位置に検出用開口１１７が設けられている。この検出用開口１１７の内方には、光を検出して検出信号を出力するフォトダイオード、フォトトランジスタなどの光電変換素子でなる用紙検出センサ１１８が配置されている。
【００３５】
また、ここでは図示しないが、蓋部材８２が本体１０に対して開放状態であるか閉止状態であるかを検出するための開閉状態検出センサが設けられている。この開閉状態検出センサは、たとえば、蓋部材８２が閉止状態のときにアクチュエータが押圧されるように構成されたマイクロスイッチを本体１０側に設けることが可能であり、蓋部材８２の位置を光電変換素子によって検出するように構成することも可能である。
【００３６】
このようにしたスタックバイパス２０では、蓋部材８２を開放した状態で、蓋部材８２上に用紙がない場合には、用紙検出部材１１１の作動部１１２は、第２載置面１０２上に突出した状態となっており、検出部１１３は仕切板１０６の検出用開口１０７を遮蔽している。このことにより、採光用開口１１５から第１中空部１０８に取り入れられた光は、検出用開口１０７を通過することなく、用紙検出センサ１１８は検出信号を出力しない。
【００３７】
また、蓋部材８２上に用紙が載置されて、用紙検出部材１１１の作動部１１２上に用紙がある場合には、作動部１１２が用紙の重量により第２載置面１０２内に没するように押圧される。これに伴って、用紙検出部材１１１は支軸１１４を中心に回動し、検出部１１３が仕切板１０６の検出用開口１０７を開放状態とする。この場合、採光用開口１１５より取り入れた光は、検出用開口１０７、１１６，１１７を介して用紙検出センサ１１８に到達する。このことにより、用紙検出センサ１１８は、蓋部材８２の第２載置板１０２上に用紙が存在する旨の検出信号を出力する。
【００３８】
さらに、蓋部材８２が、開閉状態検出センサにより閉止状態であることを検出した場合には、用紙検出センサ１１８の検出信号を無視するように構成することができる。
【００３９】
以上から、蓋部材８２が開放状態である際に、第２載置面１０２上に用紙があるか否かを容易に確実に検出することが可能である。このとき、用紙検出センサ１１８は本体１０側に設けられており、可動部分を介して配線を行う必要がなく、断線や機械的故障を極力少なくすることができる。また、Ａ３サイズの用紙後端を検出するような位置に、用紙検出部材１１１の作動部１１２を配置すれば、用紙検出センサ１１８の検出信号により、スタックバイパス２０に載置された用紙サイズがＡ３サイズかそれ以下のサイズの用紙かを容易に判別することができる。
【００４０】
〔検出スイッチ〕
用紙検出部材１１１の作動部１１２は、載置される用紙の重量による押圧力で剛性を維持するとともに、予測されるよりも大きな負荷が加わった場合にその負荷の方向に弾性変形可能な材質で構成されている。この場合、作動部１１２を軟質合成ゴムやスポンジなどの弾性部材で構成することができる。
【００４１】
このことにより、用紙が第２載置板１０２上に載置されたとき、用紙の重量による押圧力が作動部１１２に加わっても、作動部１１２は剛性を維持して検出部１１３を変位させ、用紙後端部の検出を確実に行うことが可能となる。
【００４２】
また、検出部１１３の通常の変位位置を超えて変位させようとする力が、作動部１１２に加わった場合には、作動部１１２が弾性変形して、塑性変形または折損などによる破壊を防止する。
【００４３】
さらに、作動部１１２に図下方向以外の押圧力が加わった場合には、作動部１１２は同様にその押圧力の方向に弾性変形し、塑性変形または折損などによって破壊されることを防止する。
【００４４】
したがって、作動部１１２を作動用開口１１０内に押し込むような強い押圧力が加わった場合や、作動部１１２が衣服や部品などに引っかかって変位方向と異なる方向に大きな負荷が加わった場合において、作動部１１２が弾性変形して破壊されることを防止できる。このような負荷が取り除かれた後は、作動部１１２は元の状態に復帰し、再度用紙の検出が可能となる。
【００４５】
〔検出スイッチの他の実施形態〕
検出スイッチとしては、図５に示すような用紙検出部材１２１を用いることが可能である。この用紙検出部材１２１は、支持軸１２２に固定される略円筒形状の基体１２３と、基体１２３の周面の一方に突出する作動部１２４と、基体１２３の周面の他方に突出する検出部１２５とを備えている。この用紙検出部材１２１は、第２載置板１０２上に作動部１２４が突出するように配置され、支持軸１２２を中心に回動自在に蓋部材８２に支持される。蓋部材８２の内部には、発光部と受光部とが検出部１２５を挟むようにフォトインタラプタなどの光学検出手段が配置される。基体１２３、作動部１２４、検出部１２５は、軟質合成ゴムやスポンジなどの弾性部材で一体的に形成されており、所定以上の負荷がかかると弾性変形するように構成されている。また、作動部１２４上に用紙が載置されることにより、用紙検出部材１２１が回動するように慣性力が弱く設定されている。
【００４６】
通常の状態では、フォトインタラプタの発光部から照射された光は、検出部１２５に遮断されて受光部に到達せず、フォトインタラプタの出力はオフ状態となっている。蓋部材８２の第２載置板１０２上に用紙が載置されると、作動部１２４を押圧して用紙検出部材１２１を回動させ、これに対応して検出部１２５も移動する。このことにより、フォトインタラプタの発光部と受光部の間が開放状態となり、フォトインタラプタの出力はオン状態となる。したがって、このフォトインタラプタの出力信号により、第２載置板１０２上の用紙の有無を検出することが可能となる。
【００４７】
また、検出部１２５の通常の変位位置を超えて変位させようとする力が、作動部１２４に加わった場合には、作動部１２４が弾性変形して、塑性変形または折損などによる破壊を防止する。
【００４８】
さらに、作動部１２４に図下方向以外の押圧力が加わった場合には、作動部１２４は同様にその押圧力の方向に弾性変形し、塑性変形または折損などによって破壊されることを防止する。
【００４９】
したがって、作動部１２４を蓋部材８２側に押し込むような強い押圧力が加わった場合や、作動部１２４が衣服や部品などに引っかかって変位方向と異なる方向に大きな負荷が加わった場合において、作動部１２４が弾性変形して破壊されることを防止できる。このような負荷が取り除かれた後は、作動部１２４は元の状態に復帰し、再度用紙の検出が可能となる。
【００５０】
作動部１２４のみを弾性部材で構成し、その他の部分を硬質合成樹脂で構成することも可能であり、検出部１２５のみを硬質合成樹脂で構成し、その他の部分を弾性部材で構成することも可能である。
【００５１】
【発明の効果】
本発明によれば、作動部に対して予測する以上の負荷が加わった場合に、作動部が弾性変形するため、塑性変形や折損などによる破壊を防止することができる用紙検出部材を提供できる。
【図面の簡単な説明】
【図１】本発明の１実施形態を採用した複写機の縦断面概略図。
【図２】要部説明図。
【図３】その斜視図。
【図４】要部説明図。
【図５】検出スイッチの他の実施形態の斜視図。
【符号の説明】
１０  本体
２０  スタックバイパス
８２  蓋部材
８６  載置板
１０１  支軸
１０２  第２載置板
１０３  外側板
１０４  上側板
１０５  下側板
１０６  仕切板
１０７  検出用開口
１０８  第１中空部
１０９  第２中空部
１１０  作動用開口
１１１  用紙検知部材
１１２  作動部
１１３  検出部
１１４  支軸
１１５  採光用開口
１１６  検出用開口
１１７  検出用開口
１１８  用紙検出センサ
【図１】
0003582990.tif 000002
【図２】
0003582990.tif 000003
【図３】
0003582990.tif 000004
【図４】
0003582990.tif 000005
【図５】
0003582990.tif 000006